(57)【特許請求の範囲】
【請求項１】
車両における取付部材に設けられた取付突起と、
前記車両における被取付箇所に設けられた枠状部と、を備え、
前記取付突起は、前記取付部材から第１方向に突出し前記第１方向を含む取付面を形成する取付板状部と、前記取付面に直交する第２方向に前記取付面から突出する少なくとも３つの固定突起部と、を有し、
前記取付面では、前記取付板状部の突出端側で前記第１方向および前記第２方向と直交する第３方向に伸びる突出端側配置列と、前記第１方向で見た前記枠状部の厚さ寸法だけ前記突出端側配置列から前記取付部材側へと変位した位置で前記第３方向に伸びる取付部材側配置列と、を設定し、
前記各固定突起部は、少なくとも１つが前記突出端側配置列上に設けられかつ残りが前記取付部材側配置列上に設けられるとともに、前記第３方向における互いに異なる位置で前記突出端側配置列上と前記取付部材側配置列上との交互に設けられることを特徴とする取付構造。
【請求項２】
前記取付面は、前記取付部材における前記第２方向で見た一方側の端部と同一面上に位置し、
前記各固定突起部は、前記取付面から前記第２方向の一方側へと突出することを特徴とする請求項１に記載の取付構造。
【請求項３】
前記取付部材は、前記第３方向に伸びる長尺状を呈することを特徴とする請求項１または請求項２に記載の取付構造。
【請求項４】
前記被取付箇所では、その被取付面から前記枠状部が前記第２方向に突出して設けられ、
前記被取付面には、前記枠状部の突出位置から前記取付部材側に渡り、前記取付板状部を受け入れる受入凹所が設けられていることを特徴とする請求項１から請求項３のいずれか１項に記載の取付構造。
【請求項５】
前記枠状部は、前記被取付面から前記第２方向に突出する一対の縦辺部分と、前記被取付面と間隔を置いて前記両縦辺部分を架け渡す横辺部分と、を有し、
前記被取付面には、前記各固定突起部で前記横辺部分を前記第１方向で挟みつつ前記取付面を前記横辺部分に宛がう状態において、前記取付板状部における前記取付面とは反対側の支持面に接する基準部が設けられていることを特徴とする請求項４に記載の取付構造。
【請求項６】
前記基準部は、前記取付面から前記各固定突起部が突出する前記第２方向における一方側へと、前記被取付面から突出して設けられていることを特徴とする請求項５に記載の取付構造。
【請求項７】
前記基準部は、前記第３方向において、前記両縦辺部分の間で前記両縦辺部分とは異なる位置に設けられていることを特徴とする請求項６に記載の取付構造。
【請求項８】
前記取付部材は、入射端部から入射された光を伸びる方向に導きつつ出射させる導光部材であることを特徴とする請求項１から請求項７のいずれか１項に記載の取付構造。
【発明の詳細な説明】
【技術分野】
【０００１】
本発明は、車両における取付構造に関する。
【背景技術】
【０００２】
車両では、例えば、車両用灯具において、取付部材としての導光部材が被取付箇所に取り付けられる。
【０００３】
その取り付けの取付構造として、先端から幅寸法を漸次的に大きくするカギ状部を設けた所謂矢じり形状の取付突起を導光部材（取付部材）に形成し、その取付突起を被取付箇所の取付穴に通すことで、取付突起の取付穴からの抜け落ちを防止するものがある。この取付構造では、簡易な取り付け作業で抜け落ちを防止できるが、取付突起を取付穴に対して更に奥まで押し込むことができるため、導光部材（取付部材）と被取付箇所との相対的な移動を許容するので、取付強度を向上する観点から改良の余地がある。
【０００４】
そこで、取付構造では、取付突起において、カギ状部と所定の間隔を置いて並ぶ固定突起部を設け、その固定突起部とカギ状部とで取付穴の周縁部を挟み込むことが考えられる。ところが、このような構成とすると、取付突起を有する導光部材（取付部材）の形成のための金型において、カギ状部および固定突起部の周辺にスライドコアを設ける必要があり、金型延いては導光部材（取付部材）の製造コストの上昇を招く。
【０００５】
このため、取付構造では、クリップを介して導光部材（取付部材）を被取付箇所に取り付けるものが考えられている（例えば、特許文献１参照）。この従来の取付構造では、導光部材（取付部材）とは別体のクリップにカギ状部と固定突起部とを有する取付突起を形成するので、クリップの形成のための金型にスライドコアを設けることなく、取付突起にカギ状部および固定突起部を形成できる。
【先行技術文献】
【特許文献】
【０００６】
【特許文献１】特開２０１４−８６３３４号公報
【発明の概要】
【発明が解決しようとする課題】
【０００７】
しかしながら、従来の取付構造では、導光部材（取付部材）とは別体のクリップを用いるため、導光部材（取付部材）とクリップとで別体の金型を用意する必要がありかつ取付工程の増加を招くので、取り付け作業を簡易とする観点および製造コストの上昇を抑制する観点から改良の余地がある。
【０００８】
本発明は、上記の事情に鑑みて為されたもので、製造コストの上昇を抑制しつつ簡易に取り付けられて取付強度を向上できる取付構造を提供することを目的とする。
【課題を解決するための手段】
【０００９】
請求項１に記載の取付構造は、車両における取付部材に設けられた取付突起と、前記車両における被取付箇所に設けられた枠状部と、を備え、前記取付突起は、前記取付部材から第１方向に突出し前記第１方向を含む取付面を形成する取付板状部と、前記取付面に直交する第２方向に前記取付面から突出する少なくとも３つの固定突起部と、を有し、前記取付面では、前記取付板状部の突出端側で前記第１方向および前記第２方向と直交する第３方向に伸びる突出端側配置列と、前記第１方向で見た前記枠状部の厚さ寸法だけ前記突出端側配置列から前記取付部材側へと変位した位置で前記第３方向に伸びる取付部材側配置列と、を設定し、前記各固定突起部は、少なくとも１つが前記突出端側配置列上に設けられかつ残りが前記取付部材側配置列上に設けられるとともに、前記第３方向における互いに異なる位置で前記突出端側配置列上と前記取付部材側配置列上との交互に設けられることを特徴とする。
【発明の効果】
【００１０】
本発明の取付構造によれば、製造コストの上昇を抑制しつつ簡易に取り付けられて取付強度を向上できる。
【図面の簡単な説明】
【００１１】
【図１】本発明に係る取付構造の一実施形態に係る実施例の取付構造１０を用いた車両用灯具５１を車両５２に搭載した様子を示す説明図である。
【図２】取付構造１０により導光部材６１をインナーパネル５４に取り付けた様子を示す説明図である。
【図３】取付構造１０における、導光部材６１に設けた取付構造部１１と、インナーパネル５４に設けた被取付構造部１２と、嵌め込む前の状態で部分的に拡大して示す説明図である。
【図４】取付構造部１１を有する導光部材６１のための金型Ｍ１を説明する説明図である。
【図５】取付構造部１１を有する導光部材６１のための金型Ｍ２を説明する説明図である。
【図６】被取付構造部１２を有するインナーパネル５４のための金型Ｍ３を説明する説明図である。
【図７】被取付構造部１２を有するインナーパネル５４のための金型Ｍ４を説明する説明図である。
【図８Ａ】取付構造部１１を被取付構造部１２に取り付ける様子を説明すべく４つの取付段階Ｓのうちの最初の２つ（Ｓ１、Ｓ２）を示す説明図である。
【図８Ｂ】取付構造部１１を被取付構造部１２に取り付ける様子を説明すべく４つの取付段階Ｓのうちの残りの２つ（Ｓ３、Ｓ４）を示す説明図である。
【発明を実施するための形態】
【００１２】
以下に、本発明に係る取付構造の実施例について図面を参照しつつ説明する。
【実施例１】
【００１３】
本発明に係る取付構造の一実施形態に係る実施例の取付構造１０を、図１から図８Ｂを用いて説明する。なお、図２および図３では、取付構造部１１および被取付構造部１２の構成の理解を容易とするために、導光部材６１（取付部材）およびインナーパネル５４（被取付箇所）については、取付構造部１１または被取付構造部１２が設けられた周辺のみを部分的に示す。また、図４および図５では、金型（Ｍ１、Ｍ２）の構造の理解を容易とするために、その金型を取付構造部１１や導光部材６１の外形形状に沿う大きさ寸法および形状としており、必ずしも実際に用いる金型と一致しない。同様に、図６および図７では、金型（Ｍ３、Ｍ４）の構造の理解を容易とするために、その金型を被取付構造部１２やインナーパネル５４の外形形状に沿う大きさ寸法および形状としており、必ずしも実際に用いる金型と一致しない。
【００１４】
本実施例の取付構造１０は、前方を照射するために自動車等の前照灯としての車両用灯具５１に用いる。この各車両用灯具５１では、図１に示すように、前端が開放されたランプハウジング５３と、その内方に設けたインナーパネル５４と、ランプハウジング５３の開口部を覆うアウターレンズ５５と、で灯室５６を形成する。そのランプハウジング５３は、一端を開放しかつ他方が閉塞された中空形状を呈し、灯具ユニット（照明灯具ユニット５７、ターンランプユニット５８）の取付箇所を構成するとともに、それらの点灯制御のための点灯駆動装置を収容する。インナーパネル５４は、灯具ユニットおよび後述するクリアランスランプ５９における照明箇所以外の箇所や上述した点灯駆動装置等を隠して車両用灯具５１の意匠性を高める。この車両用灯具５１では、灯室５６に、灯具ユニット（光源）としての照明灯具ユニット５７とターンランプユニット５８と、車幅灯としてのクリアランスランプ５９と、を設ける。その照明灯具ユニット５７は、車両５２の前方を照らすことで、運転手の視認性や外部からの車両５２の認識のし易さを向上させる。ターンランプユニット５８は、照明灯具ユニット５７の内側に設け、点灯駆動装置の制御下で点滅させることで方向指示器として機能する。
【００１５】
クリアランスランプ５９は、本実施例では、長尺状を呈する導光部材６１（図２等参照）の入射端部に光源を対向させて構成し、その導光部材６１を車両用灯具５１に設けた各灯具ユニットの上側でアウターレンズ５５の周縁部に沿って左右に伸びて設けている。導光部材６１では、図２に示すように、裏側（インナーパネル５４側）に反射部６２が設けられ、光源からの光が入射端部から入射されると全反射を利用して進行させつつその一部を反射部６２の作用により表面から出射させることで、その全長に渡って略均一な輝度で光る。その反射部６２は、蒸着や塗装等によりアルミや銀を接着させることや全反射プリズムを設けることにより複数の反射面を形成して構成する。これにより、クリアランスランプ５９は、全長に渡って略均一な輝度で光ることで前側における上下方向や左右方向からの視認が可能とされ、アウターレンズ５５の上縁部に沿って光ることで車両５２における車幅灯として機能する。
【００１６】
このクリアランスランプ５９の導光部材６１は、本実施例の取付構造１０とともに固定構造を用いてインナーパネル５４に取り付ける。その固定構造は、ネジ部材を用いることや一方に設けた突起部を他方に設けた固定穴に嵌め込むことで、導光部材６１をインナーパネル５４に固定するものであり、後述するように取付構造１０による取付姿勢（図２および図８Ｂの符号Ｓ４参照）を維持させる。その取付構造１０の構成について、図２および図３を用いて説明する。以下の説明では、互いに直交する第１方向Ａ１、第２方向Ａ２および第３方向Ａ３を用い、図２および図３を正面視して、奥側を第１方向Ａ１の一方側とし、上側を第２方向Ａ２の一方側とし、手前側を第３方向Ａ３の一方側とする。
【００１７】
取付構造１０では、取付部材としての導光部材６１に取付構造部１１を設け、被取付箇所としてのインナーパネル５４に被取付構造部１２を設ける。この取付構造１０では、被取付構造部１２に取付構造部１１を嵌め込むことで、導光部材６１をインナーパネル５４に取り付ける。
【００１８】
その取付構造部１１は、第３方向Ａ３に伸びる長尺な導光部材６１に設けた取付突起２１を有する。その取付突起２１は、導光部材６１から突出する取付板状部２２と、その取付板状部２２に設けた３つの固定突起部２３と、を有する。その取付板状部２２は、導光部材６１における第２方向Ａ２の一方側の端部から、第１方向Ａ１の一方側に突出する板状を呈する。取付板状部２２は、第１方向Ａ１および第３方向Ａ３を含む面に沿う取付面２４を規定し、その取付面２４と同一面上に導光部材６１における第２方向Ａ２の一方側の端部６１ａを位置させる。この取付面２４では、第１方向Ａ１の一方側の端部に第３方向Ａ３に伸びる突出端側配置列２５を設定するとともに、その突出端側配置列２５から第１方向Ａ１で見て後述する枠状部３２の横辺部分３６の厚さ寸法Ｔと等しい間隔Ｃを置く位置で第３方向Ａ３に伸びる取付部材側配置列２６を設定する（図３参照）。
【００１９】
３つの固定突起部２３は、取付板状部２２の取付面２４から第２方向Ａ２の一方側へ向けて突出する。各固定突起部２３のうちの２つは、突出端側配置列２５上における第３方向Ａ３で見た取付面２４（取付板状部２２）の両縁部に設け、以下では区別して述べる際には突出端側突起部２３１という。そして、各固定突起部２３のうちの残りの１つは、取付部材側配置列２６上における第３方向Ａ３で見た中間に設け、以下では区別して述べる際には取付部材側突起部２３２という。その両突出端側突起部２３１と取付部材側突起部２３２とは、３つを加算した第３方向Ａ３で見た大きさ寸法を、取付面２４（取付板状部２２）の第３方向Ａ３で見た大きさ寸法よりも小さく設定しており、第３方向Ａ３で見て互いに異なる位置とする。換言すると、両突出端側突起部２３１と取付部材側突起部２３２とは、第１方向Ａ１のいずれか一方から見ると、互いに重なることのない位置関係とする。
【００２０】
その両突出端側突起部２３１は、全体的に箱状を呈し、取付面２４からの突出量を第１方向Ａ１の一方側へ向かうに連れて漸次的に小さくし、第１方向Ａ１の他方側の内側端面２３１ａを第１方向Ａ１に直交する平面とする。取付部材側突起部２３２とは、全体的に箱状を呈し、第１方向Ａ１の一方側の外側端面２３２ａを第１方向Ａ１に直交する平面とする。この両突出端側突起部２３１の内側端面２３１ａと取付部材側突起部２３２の外側端面２３２ａとは、第１方向Ａ１で間隔Ｃを置く位置関係となる。本実施例では、その取付面２４（取付板状部２２）において、両突出端側突起部２３１の間から取付部材側突起部２３２（その外側端面２３２ａ）に至る間に、第２方向Ａ２の他方側へと部分的に凹む取付凹所２７を設けている。このような構成の取付構造部１１に対応させて、インナーパネル５４（被取付箇所）に被取付構造部１２を設ける。
【００２１】
そのインナーパネル５４では、第２方向Ａ２の一方側が導光部材６１を取り付ける被取付面３１となり、その導光部材６１を設置するための設置凹所６３を設ける。その設置凹所６３は、被取付面３１の一部を導光部材６１の形状に沿って第２方向Ａ２の他方側に凹ませて形成する。インナーパネル５４では、その被取付面３１に被取付構造部１２を設ける。
【００２２】
その被取付構造部１２は、枠状部３２と受入凹所３３と基準部３４とを有する。その枠状部３２は、第３方向Ａ３で並ぶ位置で被取付面３１から第２方向Ａ２に突出する一対の縦辺部分３５と、被取付面３１と間隔を置いて両縦辺部分３５を架け渡す横辺部分３６と、を有する。枠状部３２は、全体にＵ字形状を呈する内側（両縦辺部分３５と横辺部分３６との内方）に、取付構造部１１の取付板状部２２（取付突起２１）を受け入れられる大きさ寸法とする。その横辺部分３６は、第１方向Ａ１で見て厚さ寸法Ｔとし、第１方向Ａ１に位置する両横辺側面３６ａをその第１方向Ａ１に直交する平面とする。このため、横辺部分３６は、取付構造部１１の取付突起２１における両突出端側突起部２３１と取付部材側突起部２３２との間に挿入できる。この枠状部３２は、本実施例では、被取付面３１の第１方向Ａ１の一方側の縁部に設けている。
【００２３】
受入凹所３３は、被取付面３１において、枠状部３２の横辺部分３６と第２方向Ａ２で対向する位置から第１方向Ａ１の他方側（導光部材６１側）へ向けた所定の位置まで伸びるとともに、第３方向Ａ３における枠状部３２の両縦辺部分３５の間の領域に設ける。この受入凹所３３は、取付構造部１１の取付突起２１（その先端部）を受け入れる大きさ寸法とし、後述するように基準部３４を利用して取付突起２１を枠状部３２（その横辺部分３６）に嵌め込む工程（図８Ａ、図８Ｂ参照）を可能とすべく、基準部３４や取付突起２１の大きさ寸法とともに設定する。受入凹所３３は、本実施例では被取付面３１を規定するインナーパネル５４の被取付部６４を貫通して設けており、枠状部３２を被取付面３１の縁部に位置させているので被取付部６４における枠状部３２の両縦辺部分３５の間をＵ字形状に切り欠いている。
【００２４】
基準部３４は、被取付面３１における受入凹所３３の第１方向Ａ１の他方側（導光部材６１側）の縁部で、第２方向Ａ２の一方側に突出して設けられ、その突出端で基準支持箇所３７を規定する。その基準支持箇所３７は、取付突起２１の取付板状部２２における取付面２４とは反対側の支持面２８に接することでその取付突起２１（取付板状部２２）を支持する。基準部３４は、本実施例では、被取付面３１からの突出量を、第３方向Ａ３で見て均一としつつ、第１方向Ａ１の一方側が最も大きくかつ他方側へ向かうに連れて漸次的に小さくしており、最も突出量が大きい第１方向Ａ１の一方側の縁部で基準支持箇所３７を規定する。このため、基準支持箇所３７は、第２方向Ａ２で見て等しい高さ位置で第３方向Ａ３に伸びる突条を呈する。その基準支持箇所３７は、後述するように各固定突起部２３で横辺部分３６を第１方向Ａ１で挟みつつ取付面２４を横辺部分３６に宛がう状態（図８Ｂの符号Ｓ４参照）において、取付板状部２２の支持面２８に接する。この基準部３４は、枠状部３２の両縦辺部分３５の間で当該両縦辺部分３５とは、第３方向Ａ３における異なる位置に設けられる。このため、基準部３４は、第１方向Ａ１のいずれか一方から見ると、両縦辺部分３５とは互いに重なることのない位置関係となる。
【００２５】
次に、導光部材６１（取付部材）に設けられる取付構造部１１の形成方法について、図４および図５を用いて説明する。取付構造部１１は、図４および図５に示すように、金型（Ｍ１、Ｍ２）を用いて、導光部材６１（取付部材）と一体的に成形する。
【００２６】
先ず、導光部材６１（取付部材）に設けられる取付構造部１１では、その支持面２８側（第２方向Ａ２の他方側）を、金型Ｍ１を用いて形成する。その金型Ｍ１は、図４に示すように、取付構造部１１および導光部材６１における第１方向Ａ１の一方側を形作るとともに、取付構造部１１の支持面２８側（第２方向Ａ２の他方側）を形作る。金型Ｍ１は、導光部材６１の周辺では、その第１方向Ａ１の一方側に沿う長尺な半円筒状を呈する導光形成部４１を有し、そこに反射部６２に対応する反射部形成部分４２が設けられる。また、金型Ｍ１は、取付構造部１１の周辺では、取付突起２１の支持面２８および第３方向Ａ３に位置する両突起側面を覆うように導光形成部４１から第１方向Ａ１の一方側へと伸びる突起形成部４３を有する。その突起形成部４３では、第１方向Ａ１の一方側の端部において、両突出端側突起部２３１における第１方向Ａ１の一方側の外側端面および第２方向Ａ２の一方側の上側端面を覆う端側突起形成部分４４を設ける。また、突起形成部４３では、端側突起形成部分４４から、取付凹所２７を覆いつつ取付部材側突起部２３２の外側端面２３２ａへ向けて第１方向Ａ１の他方側へと伸びる部材側突起形成部分４５を設ける。このため、金型Ｍ１は、取付構造部１１および導光部材６１において、第１方向Ａ１の一方側から見える箇所を全面的に覆うことができる。
【００２７】
また、取付構造部１１では、その取付面２４側（第２方向Ａ２の一方側）を、金型Ｍ２を用いて形成する。その金型Ｍ２は、図５に示すように、取付構造部１１および導光部材６１における第１方向Ａ１の他方側を形作るとともに、取付構造部１１の支持面２８側（第２方向Ａ２の一方側）を形作る。金型Ｍ２は、導光部材６１の周辺では、その導光部材６１における第１方向Ａ１の他方側に沿う長尺な半円筒状を呈する導光形成部４６を有する。また、金型Ｍ２は、取付構造部１１の周辺では、取付突起２１の取付面２４を覆うように導光形成部４６から第１方向Ａ１の一方側へと伸びる突起形成部４７を有する。その突起形成部４７では、第１方向Ａ１の一方側の端部において、金型Ｍ１の突起形成部４３（その端側突起形成部分４４および部材側突起形成部分４５）を覆う突起部形成部分４８を有する。その突起部形成部分４８では、部材側突起形成部分４５の第１方向Ａ１の他方側に、取付部材側突起部２３２の形状を形作るための突起部凹所４９が設けられる。このため、金型Ｍ２は、取付構造部１１および導光部材６１に対して、第１方向Ａ１で他方側から見える箇所を全面的に覆うことができる。
【００２８】
この金型Ｍ１と金型Ｍ２とにより、取付構造部１１を一体的に設けた導光部材６１（取付部材）を形成する。その金型Ｍ１は、第１方向Ａ１で一方側から見える箇所を全面的に覆いつつ一体的に構成しているので、成形した取付構造部１１および導光部材６１に対して第１方向Ａ１の一方側に移動させて取り外せる（離型）。また、金型Ｍ２は、第１方向Ａ１で他方側から見える箇所を全面的に覆いつつ一体的に構成しているので、成形した取付構造部１１および導光部材６１に対して第１方向Ａ１の他方側に移動させて取り外せる（離型）。このように、取付構造部１１を設けた導光部材６１（取付部材）では、金型Ｍ１および金型Ｍ２を第１方向Ａ１で付き合わせるだけで、各固定突起部２３が取付板状部２２に設けられて構成された取付構造部１１を形成できる。このとき、取付構造部１１の取付面２４（取付板状部２２）では、取付凹所２７を設けているので、金型Ｍ１と金型Ｍ２との境目を取付凹所２７による段差と一致させることで、当該境目を目立たなくすることができる。
【００２９】
次に、インナーパネル５４（被取付箇所）に設けられる被取付構造部１２では、図６に示すように、インナーパネル５４（被取付部６４）における被取付面３１とは反対側の裏面６５側を、金型Ｍ３を用いて形成する。その金型Ｍ３は、被取付構造部１２およびインナーパネル５４における第１方向Ａ１の一方側を形作るとともに、インナーパネル５４の裏面６５側を形作る。このため、金型Ｍ３は、インナーパネル５４の周辺では、裏面６５に沿う板状を呈するパネル形成部７１を有する。また、金型Ｍ３は、被取付構造部１２の周辺では、被取付構造部１２の枠状部３２における第１方向Ａ１の他方側の枠表面３２ａを除く全ての外周を覆うようにパネル形成部７１から第２方向Ａ２の一方側へと伸びる枠状形成部７２を有する。その枠状形成部７２では、枠状部３２の内側および受入凹所３３を形成する凹所形成部分７３が設ける。その凹所形成部分７３は、枠状部３２の内側を充填しつつ基準部３４における第１方向Ａ１の一方側の端部まで伸びる直方体形状を呈する。このため、金型Ｍ３は、被取付構造部１２およびインナーパネル５４に対して、第１方向Ａ１で一方側から見える箇所を全面的に覆うことができる。
【００３０】
また、被取付構造部１２では、その被取付面３１側（第２方向Ａ２の一方側）を、金型Ｍ４を用いて形成する。その金型Ｍ４は、図７に示すように、被取付構造部１２およびインナーパネル５４における第１方向Ａ１の他方側を形作るとともに、インナーパネル５４の被取付面３１側を形作る。このため、金型Ｍ４は、インナーパネル５４の周辺では、そのインナーパネル５４における被取付面３１に沿う板状を呈するパネル形成部７４を有する。また、金型Ｍ４は、被取付構造部１２の周辺では、金型Ｍ３の凹所形成部分７３を覆うようにパネル形成部７４から第２方向Ａ２の一方側へと伸びる被取付形成部７５を有する。その被取付形成部７５では、金型Ｍ３の凹所形成部分７３の第１方向Ａ１の他方側に、基準部３４の形状を形作るための基準部凹所７６が設けられる。このため、金型Ｍ４は、被取付構造部１２およびインナーパネル５４に対して、第１方向Ａ１で他方側から見える箇所を全面的に覆うことができる。
【００３１】
この金型Ｍ３と金型Ｍ４とにより、被取付構造部１２を一体的に設けたインナーパネル５４（被取付箇所）を形成する。その金型Ｍ３は、第１方向Ａ１で一方側から見える箇所を全面的に覆いつつ一体的に構成しているので、成形した被取付構造部１２およびインナーパネル５４に対して第１方向Ａ１の一方側に移動させて取り外せる（離型）。また、金型Ｍ４は、第１方向Ａ１で他方側から見える箇所を全面的に覆いつつ一体的に構成しているので、成形した被取付構造部１２およびインナーパネル５４に対して第１方向Ａ１の他方側に移動させて取り外せる（離型）。このように、被取付構造部１２を設けたインナーパネル５４（被取付箇所）では、金型Ｍ３および金型Ｍ４を第１方向Ａ１で付き合わせるだけで、枠状部３２と受入凹所３３と基準部３４とを有する被取付構造部１２を形成できる。
【００３２】
次に、この取付構造１０を用いて導光部材６１をインナーパネル５４に取り付ける様子について、第１方向Ａ１および第２方向Ａ２を含む面に沿う断面で示す図８Ａおよび図８Ｂを用いて説明する。この取付構造１０では、図８Ａおよび図８Ｂに示す４つの取付段階Ｓ（Ｓ１からＳ４）を経て、被取付構造部１２に取付構造部１１を嵌め込む。第１取付段階Ｓ１では、図８Ａに示すように、取付構造部１１の取付突起２１（その取付板状部２２）を、第１方向Ａ１の他方側であって第２方向Ａ２の一方側から、被取付構造部１２の枠状部３２の内側であって受入凹所３３の内方へ向けて差し込む（矢印Ａ１参照）。このとき、取付板状部２２の支持面２８を、被取付構造部１２の基準部３４（その基準支持箇所３７）に宛がうことで、差し込み作業が容易となる。第２取付段階Ｓ２では、取付板状部２２の両突出端側突起部２３１が、枠状部３２の横辺部分３６の下方（第２方向Ａ２の他方側）に位置するまで、取付突起２１を差し込む。第３取付段階Ｓ３では、図８Ｂに示すように、取付板状部２２の取付部材側突起部２３２が、枠状部３２の横辺部分３６に近接する位置まで、取付突起２１を差し込む。このとき、取付板状部２２の両突出端側突起部２３１は、枠状部３２の横辺部分３６を大略くぐる位置まで第１方向Ａ１の一方側へと変位する。ここで、両突出端側突起部２３１は、第１方向Ａ１の一方側へ向かうに連れて取付面２４からの突出量を漸次的に小さくしているので、取付突起２１の差し込みを容易にできる。
【００３３】
第４取付段階Ｓ４では、被取付構造部１２の基準部３４の基準支持箇所３７を回転中心として、取付板状部２２の取付面２４を枠状部３２の横辺部分３６に接近させる方向に、取付突起２１を回転させる（矢印Ａ２参照）。そして、第４取付段階Ｓ４では、取付板状部２２における両突出端側突起部２３１と取付部材側突起部２３２との間に、枠状部３２の横辺部分３６を挿入する。その横辺部分３６では、第１方向Ａ１の一方側に位置する横辺側面３６ａが、両突出端側突起部２３１の内側端面２３１ａに面で接触するとともに、第１方向Ａ１の他方側に位置する横辺側面３６ａが、取付部材側突起部２３２の外側端面２３２ａに面で接触する。また、横辺部分３６では、第２方向Ａ２の他方側の横辺底面３６ｂに、取付板状部２２の取付面２４が接触する。これにより、取付構造部１１を被取付構造部１２に嵌め込むことができる（図２および図８Ｂの符号Ｓ４参照）。
【００３４】
そして、この取付構造１０では、導光部材６１（取付部材）がインナーパネル５４（被取付箇所）に固定構造で固定されることで、導光部材６１のインナーパネル５４に対する取付姿勢（嵌め込まれた状態（図２および図８Ｂの符号Ｓ４参照））が維持される。このため、取付構造１０では、３つの固定突起部２３（両突出端側突起部２３１および取付部材側突起部２３２）で枠状部３２の横辺部分３６を第１方向Ａ１で挟み込むので、取付構造部１１と被取付構造部１２との第１方向Ａ１への相対的な移動を防止する。また、取付構造１０では、取付板状部２２の取付面２４が横辺部分３６（その横辺底面３６ｂ）に接触し、かつ取付板状部２２の支持面２８が基準部３４（その基準支持箇所３７）に接触するので、取付構造部１１と被取付構造部１２との第２方向Ａ２への相対的な移動を防止する。
【００３５】
このように、本発明に係る取付構造の一実施例の取付構造１０では、導光部材６１（取付部材）の取付突起２１において、取付板状部２２の取付面２４に設定した突出端側配置列２５と取付部材側配置列２６とに合わせて少なくとも３つの固定突起部２３を設けている。また、取付構造１０では、第１方向Ａ１で見た突出端側配置列２５と取付部材側配置列２６との間隔Ｃを、枠状部３２（その横辺部分３６）の第１方向Ａ１で見た厚さ寸法Ｔと等しくしている。このため、取付構造１０では、各固定突起部２３で枠状部３２（横辺部分３６）を挟み込むことで、第１方向Ａ１への相対的な移動を防止しつつ導光部材６１をインナーパネル５４（被取付箇所）に取り付けることができる。
【００３６】
また、取付構造１０では、取付板状部２２（その取付面２４）に設けた各固定突起部２３を、第３方向Ａ３において互いに異なる位置で突出端側配置列２５上と取付部材側配置列２６上との交互に設けている。このため、取付構造１０では、その第３方向Ａ３に直交する第１方向Ａ１で付き合わせる金型（実施例では金型Ｍ１および金型Ｍ２）を用いることで、スライドコアを設けることなく、各固定突起部２３を有する取付突起２１を一体的に設けた導光部材６１を成形できる。この取付構造１０では、導光部材６１と一体的な取付突起２１の各固定突起部２３で枠状部３２（横辺部分３６）を挟み込むだけで良いので、例えば別体のクリップを用いることと比較して取付工程を低減できる。これにより、取付構造１０では、金型にスライドコアを設けることなく用いる金型の個数の増加を防止できるとともに、取付工程の増加を防止できる。
【００３７】
さらに、取付構造１０では、取付板状部２２の取付面２４を導光部材６１における第２方向Ａ２で見た一方側の端部６１ａと同一面上に位置させ、その取付面２４から第２方向Ａ２の一方側へと各固定突起部２３を突出させる。このため、取付構造１０では、第２方向Ａ２で見て導光部材６１の大きさ寸法よりも取付板状部２２を小さくしても、第１方向Ａ１で付き合わせる金型（金型Ｍ１、金型Ｍ２）を用いてスライドコアを設けることなく取付突起２１を一体的に設けた導光部材６１を成形できる。
【００３８】
取付構造１０では、取付板状部２２の取付面２４に設けた各固定突起部２３で枠状部３２（横辺部分３６）を挟み込むので、取付板状部２２や各固定突起部２３や枠状部３２を撓ませることなく取り付けることができる。このため、取付構造１０では、より強固に導光部材６１をインナーパネル５４（被取付箇所）に取り付けることができる。
【００３９】
取付構造１０では、導光部材６１において第３方向Ａ３に伸びる長尺な導光部材６１に取付突起２１を設けている。このため、取付構造１０では、長尺な導光部材６１であっても第１方向Ａ１で付き合わせる金型（金型Ｍ１、金型Ｍ２）を用いることでスライドコアを設けることなく成形できるので、取付突起２１と一体的な導光部材６１を容易に形成でいる。
【００４０】
取付構造１０では、インナーパネル５４において、被取付面３１から第２方向Ａ２に突出して枠状部３２を設け、その枠状部３２の突出位置から導光部材６１側に渡り取付板状部２２を受け入れる受入凹所３３を設けている。このため、取付構造１０では、取付突起２１（取付板状部２２）を受入凹所３３に差し込んだ後に各固定突起部２３を被取付面３１側から枠状部３２へと接近させることができ、取付突起２１に対する枠状部３２の大きさ寸法を小さくしつつ嵌め込みを可能にできる。特に、上記した実施例の取付構造１０では、インナーパネル５４（その被取付部６４）を貫通して受入凹所３３を設けているので、受入凹所３３のための厚み寸法（第２方向Ａ２で見た大きさ寸法）を極めて小さくできる。これにより、取付構造１０では、より小さな構成としつつ、導光部材６１のインナーパネル５４への取り付けを可能にできる。
【００４１】
取付構造１０では、被取付面３１から第２方向Ａ２に突出する一対の縦辺部分３５と、被取付面３１と間隔を置いて両縦辺部分３５を架け渡す横辺部分３６と、で枠状部３２を構成する。また、取付構造１０では、被取付面３１に基準部３４を設け、その基準部３４が、各固定突起部２３で横辺部分３６を第１方向Ａ１で挟みつつ取付面２４を横辺部分３６に宛がう状態とすると取付板状部２２の支持面２８に接する位置関係としている。このため、取付構造１０では、各固定突起部２３で枠状部３２（横辺部分３６）を挟み込みつつ、枠状部３２（横辺部分３６）と取付面２４とを接触させ、取付板状部２２の支持面２８と基準部３４（基準支持箇所３７）とを接触させる取付姿勢にできる。これにより、取付構造１０では、取り付けた導光部材６１とインナーパネル５４とにおいて、第１方向Ａ１への相対的な移動を防止できるとともに、第２方向Ａ２への相対的な移動を防止できる。
【００４２】
取付構造１０では、被取付面３１に基準部３４を設けたので、取付板状部２２を受入凹所３３に差し込む際に支持面２８を基準部３４（その基準支持箇所３７）に接触させることで、その差し込み作業を容易にできる。また、取付構造１０では、被取付構造部１２の基準部３４（その基準支持箇所３７）を回転中心として取付突起２１を回転することで、取付板状部２２の取付面２４を枠状部３２の横辺部分３６に接近させることができ、各固定突起部２３で枠状部３２（横辺部分３６）を挟み込ませることができる。このため、取付構造１０では、取り付け作業を容易としつつ、導光部材６１とインナーパネル５４との取付強度をより向上できる。
【００４３】
取付構造１０では、被取付面３１から第２方向Ａ２の一方側へと突出して基準部３４を設けている。このため、取付構造１０では、より確実に取付姿勢とすることができ、そのための基準部３４の設定を容易にできる。
【００４４】
取付構造１０では、枠状部３２の両縦辺部分３５の間で第３方向Ａ３における両縦辺部分３５とは異なる位置に基準部３４を設けている。このため、取付構造１０では、その第３方向Ａ３に直交する第１方向Ａ１で付き合わせる金型（実施例では金型Ｍ３および金型Ｍ４）を用いることで、スライドコアを設けることなく、枠状部３２および基準部３４を一体的に設けたインナーパネル５４を成形できる。これにより、取付構造１０では、金型にスライドコアを設けることなく、用いる金型の個数の増加を防止できる。
【００４５】
取付構造１０では、取付部材としての導光部材６１を、被取付箇所としてのインナーパネル５４に取り付けることに用いている。このため、取付構造１０では、簡易な作業で取り付けることを可能としつつ、視認される導光部材６１のインナーパネル５４に対する移動をより効果的に防止できる。
【００４６】
取付構造１０では、取付突起２１において、２つの突出端側突起部２３１を突出端側配置列２５上に設けるとともに、単一の突出端側突起部２３１を取付部材側配置列２６上に設けている。このため、取付構造１０では、より適切に導光部材６１をインナーパネル５４に取り付けることができる。これは、導光部材６１では、インナーパネル５４に固定される固定構造等が介在するので、接近させる方向（第１方向Ａ１の一方側）では大きな力が生じ難いが、離れる方向（第１方向Ａ１の他方側）には大きな力が生じる虞があることによる。
【００４７】
したがって、本発明に係る実施例の取付構造１０では、製造コストの上昇を抑制しつつ簡易に取り付けられて取付強度を向上できる。
【００４８】
なお、上記した実施例では、本発明に係る取付構造の一例としての取付構造１０について説明したが、車両における取付部材に設けられた取付突起と、前記車両における被取付箇所に設けられた枠状部と、を備え、前記取付突起は、前記取付部材から第１方向に突出し前記第１方向を含む取付面を形成する取付板状部と、前記取付面に直交する第２方向に前記取付面から突出する少なくとも３つの固定突起部と、を有し、前記取付面では、前記取付板状部の突出端側で前記第１方向および前記第２方向と直交する第３方向に伸びる突出端側配置列と、前記第１方向で見た前記枠状部の厚さ寸法だけ前記突出端側配置列から前記取付部材側へと変位した位置で前記第３方向に伸びる取付部材側配置列と、を設定し、前記各固定突起部は、少なくとも１つが前記突出端側配置列上に設けられかつ残りが前記取付部材側配置列上に設けられるとともに、前記第３方向における互いに異なる位置で前記突出端側配置列上と前記取付部材側配置列上との交互に設けられる取付構造であればよく、上記した実施例の構成に限定されるものではない。
【００４９】
また、上記した実施例では、２つの突出端側突起部２３１を突出端側配置列２５上に設けるとともに、単一の突出端側突起部２３１を取付部材側配置列２６上に設けていたが、３つ以上の固定突起部２３を第３方向Ａ３において互いに異なる位置で突出端側配置列２５上と取付部材側配置列２６上とで交互に位置させていれば、それぞれに設ける個数は適宜設定すればよく、上記した実施例の構成に限定されない。
【００５０】
さらに、上記した実施例では、インナーパネル５４（その被取付部６４）を貫通して受入凹所３３を設けていたが、枠状部３２の突出位置から導光部材６１側に渡る位置で取付板状部２２を受け入れればよく、上記した実施例の構成に限定されない。
【００５１】
上記した実施例では、被取付面３１から第２方向Ａ２の一方側へと突出させて基準部３４を設けていたが、例えば、受入凹所３３と被取付面３１との段差を利用することで基準部３４として機能させてもよく、上記した実施例の構成に限定されない。
【００５２】
上記した実施例では、枠状部３２の両縦辺部分３５の間で第３方向Ａ３における両縦辺部分３５とは異なる位置に基準部３４を設けていたが、第３方向Ａ３における重複する位置に設けてもよく、上記した実施例の構成に限定されない。しかしながら、上記したように、第１方向Ａ１で付き合わせる金型（金型Ｍ３、金型Ｍ４）を用いることで、スライドコアを設けることなく枠状部３２および基準部３４を一体的に設けたインナーパネル５４（被取付箇所）を成形できるので、異なる位置に設けることが望ましい。
【００５３】
上記した実施例では、車両用灯具５１においてインナーパネル５４に導光部材６１を取り付けるために取付構造１０を用いていたが、車両用灯具５１における他の部材の取り付けに用いてもよく、車両に用いる他の車両用灯具に用いてもよく、例えば装飾のための部材（モール）の取り付けのように車両用灯具５１とは異なる車両用器具等の取り付けに用いてもよく、上記した実施例の構成に限定されない。
【００５４】
以上、本発明の取付構造を実施例に基づき説明してきたが、具体的な構成については実施例に限られるものではなく、本発明の要旨を逸脱しない限り、設計の変更や追加等は許容される。
【符号の説明】
【００５５】
１０  取付構造
２１  取付突起
２２  取付板状部
２３  固定突起部
２４  取付面
２５  突出端側配置列
２６  取付部材側配置列
２８  支持面
３１  被取付面
３２  枠状部
３３  受入凹所
３４  基準部
３５  縦辺部分
３６  横辺部分
５２  車両
５４  （被取付箇所の一例としての）インナーパネル
６１  （取付部材の一例としての）導光部材
Ａ１  第１方向
Ａ２  第２方向
Ａ３  第３方向
Ｔ  厚さ寸法
【図１】
0006589598.tif 000002
【図２】
0006589598.tif 000003
【図３】
0006589598.tif 000004
【図４】
0006589598.tif 000005
【図５】
0006589598.tif 000006
【図６】
0006589598.tif 000007
【図７】
0006589598.tif 000008
【図８Ａ】
0006589598.tif 000009
【図８Ｂ】
0006589598.tif 000010